(57)【要約】【課題】半流動性の伝熱剤による放熱効果を得ることが可能でありながら、光源用ランプを新しいものと交換するときのユーザーの負担を軽減することが可能な光源用ランプを提供する。【解決手段】電源に接続する陽極側導電部材２７ａに接触可能な陽極側導通部材４２と、電源に接続する陰極側導電部材２８ａに接触可能な陰極側導通部材４８と、発光部４１、４７と、陽極側導通部材と陰極側導通部材の表面に塗布した半流動性の伝熱剤５０と、伝熱剤の表面を着脱可能に覆う接触部被覆部５２、及び、接触部被覆部に突設した、陽極側導通部材と陰極側導通部材に接触する複数の接触突部５３を有する保護部材５０と、を備える。【選択図】図４
2013058345.tif 000002
【特許請求の範囲】
【請求項１】
電源に接続する陽極側導電部材に接触可能な陽極側導通部材と、
上記電源に接続する陰極側導電部材に接触可能な陰極側導通部材と、
上記陽極側導通部材と陰極側導通部材の間に電流が流れたときに発光する発光部と、
上記陽極側導通部材と陰極側導通部材の表面に塗布した半流動性の伝熱剤と、
上記伝熱剤の表面を着脱可能に覆う接触部被覆部、及び、該接触部被覆部に突設した、該接触部被覆部を上記伝熱剤の表面に被せたときに上記陽極側導通部材と陰極側導通部材に接触する複数の接触突部を有する保護部材と、
を備えることを特徴とする光源用ランプ。
【請求項２】
請求項１記載の光源用ランプにおいて、
上記陽極側導通部材と陰極側導通部材が環状形状であり、
上記接触部被覆部が、環状形状をなしながら上記伝熱剤の表面に被さる光源用ランプ。
【請求項３】
請求項２記載の光源用ランプにおいて、
上記接触突部が、環状をなす上記接触部被覆部の軸線方向に延びる突条である光源用ランプ。
【請求項４】
請求項２または３記載の光源用ランプにおいて、
上記接触部被覆部が常に環状形状を維持する光源用ランプ。
【請求項５】
請求項４記載の光源用ランプにおいて、
上記保護部材が、上記接触部被覆部の一方の開口面を塞ぐ端部閉塞部を備える光源用ランプ。
【請求項６】
請求項２または３記載の光源用ランプにおいて、
上記接触部被覆部が可撓性を有する帯状であり、
両端を接触させることにより環状形状となる光源用ランプ。
【発明の詳細な説明】
【技術分野】
【０００１】
本発明は光源用ランプに関する。
【背景技術】
【０００２】
内視鏡は一般的に、操作部と、操作部から延びかつ先端部に照明レンズ、対物レンズ、及び、撮像素子等を備える挿入部と、操作部から挿入部と反対側に向かって延び、その端部にコネクタを備えるユニバーサルチューブと、内部の全長に渡って配設した導光ファイバと、を具備している。
一方、内視鏡用光源装置は一般的に、金属板等によって形成した筐体と、筐体の内部に設けたランプと、を具備しており、筐体の側面にはコネクタ挿入部が形成してある。筐体の内部には、電源と電気的に接続しかつ導電性及び熱伝導性が良好な材料によって構成した陽極側導電部材と陰極側導電部材が固定してあり、陽極側導電部材と陰極側導電部材の対向面には互いに同軸をなす陽極側支持孔と陰極側支持孔がそれぞれ形成してある。ランプは、略円筒形状をなす本体部（ケース）と、本体部内に設けた発光部と、本体部の外周面に設けた共に金属製の陽極側導通部材及び陰極側導通部材と、を備えている。ランプは、陽極側導通部材と陰極側導通部材を陽極側支持孔と陰極側支持孔にそれぞれ嵌合することにより、陽極側導電部材と陰極側導電部材に支持させてある。筐体に設けたスイッチをＯＮ操作すると、電源から流れた電流が陽極側導電部材（陽極側支持孔）と陰極側導電部材（陰極側支持孔）を介して陽極側導通部材と陰極側導通部材に流れ発光部が発光する。
【０００３】
従って、内視鏡のコネクタを内視鏡用光源装置のコネクタ挿入部に接続した上で上記スイッチをＯＮ操作すると、光源で発生した光が筐体内において導光ファイバの端面に供給され、導光ファイバを通った光が内視鏡の挿入部の先端部に設けた照明レンズから外部に照射される。
【０００４】
また陽極側導通部材及び陰極側導通部材の表面には半流動性の伝熱剤（例えばグリース）が塗布してあり、陽極側導通部材と陰極側導通部材を陽極側支持孔と陰極側支持孔に嵌合すると伝熱剤が陽極側支持孔と陰極側支持孔の表面に接触する。そのためランプが発光すると、ランプで発生した熱が陽極側導通部材及び陰極側導通部材から伝熱剤を介して陽極側支持孔と陰極側支持孔に伝わり、陽極側導電部材及び陰極側導電部材の表面から外部に効率よく放熱される。
【先行技術文献】
【特許文献】
【０００５】
【特許文献１】特許第３１５８８７３号公報
【特許文献２】特許第３１８３１４５号公報
【発明の概要】
【発明が解決しようとする課題】
【０００６】
故障したランプを新しいランプと交換するときは、ユーザーが新しいランプの陽極側導通部材及び陰極側導通部材の表面に半流動性の伝熱剤を塗布し、その上で新しいランプの陽極側導通部材と陰極側導通部材を陽極側支持孔と陰極側支持孔にそれぞれ嵌合しなければならない。
しかし陽極側導通部材及び陰極側導通部材の表面に半流動性の伝熱剤を塗布する作業は面倒であるため、ランプを交換する際にユーザーがランプへの伝熱剤の塗布作業を省略してしまうおそれがある。仮にランプへの伝熱剤の塗布作業を省略してしまうと、ランプから陽極側導電部材及び陰極側導電部材に熱が伝わり難くなるため、ランプが許容温度以上に高温化し、ランプの寿命が短くなってしまう。
【０００７】
本発明は、半流動性の伝熱剤による放熱効果を得ることが可能でありながら、光源用ランプを新しいものと交換するときのユーザーの負担を軽減することが可能な光源用ランプを提供することを目的とする。
【課題を解決するための手段】
【０００８】
本発明の光源用ランプは、電源に接続する陽極側導電部材に接触可能な陽極側導通部材と、上記電源に接続する陰極側導電部材に接触可能な陰極側導通部材と、上記陽極側導通部材と陰極側導通部材の間に電流が流れたときに発光する発光部と、上記陽極側導通部材と陰極側導通部材の表面に塗布した半流動性の伝熱剤と、上記伝熱剤の表面を着脱可能に覆う接触部被覆部、及び、該接触部被覆部に突設した、該接触部被覆部を上記伝熱剤の表面に被せたときに上記陽極側導通部材と陰極側導通部材に接触する複数の接触突部を有する保護部材と、を備えることを特徴としている。
【０００９】
上記陽極側導通部材と陰極側導通部材が環状形状であり、上記接触部被覆部が、環状形状をなしながら上記伝熱剤の表面に被さってもよい。
さらに、上記接触突部が、環状をなす上記接触部被覆部の軸線方向に延びる突条であってもよい。
【００１０】
上記接触部被覆部が常に環状形状を維持するものであってもよい。
この場合は、上記保護部材が、上記接触部被覆部の一方の開口面を塞ぐ端部閉塞部を備えてもよい。
【００１１】
また、上記接触部被覆部が可撓性を有する帯状であり、両端を接触させることにより環状形状となるものであってもよい。
【発明の効果】
【００１２】
本発明によれば、新しい（未使用）の光源用ランプの陽極側導通部材と陰極側導通部材の表面には半流動性の伝熱剤が塗布してあり、さらに伝熱剤の表面に保護部材（接触部被覆部）が被せてある。従って、古いランプを新しいランプに交換するとき、ユーザーがランプの陽極側導通部材と陰極側導通部材を陽極側支持孔と陰極側支持孔に嵌合する前に行う作業は、保護部材を陽極側導通部材と陰極側導通部材から取り外す作業のみであり、伝熱剤を陽極側導通部材と陰極側導通部材に塗布する必要がない。そのため、陽極側導通部材と陰極側導通部材に伝熱剤が塗布されていない状態で新しいランプが陽極側導電部材及び陰極側導電部材に取り付けられ、その結果、ランプが許容温度以上に高温化してランプの寿命が短くなるおそれはない。
さらに保護部材を伝熱剤の表面に被せると、接触突部が陽極側導通部材と陰極側導通部材に接触するため、接触部被覆部は陽極側導通部材と陰極側導通部材から離間した状態に保持される。そのため仮に接触部被覆部の表面に（それ程大きくない）外力が掛かっても、陽極側導通部材及び陰極側導通部材と接触部被覆部との間で伝熱剤が押しつぶされて、伝熱剤が保護部材の外側に流出することはない。そのため未使用状態の光源用ランプから伝熱剤が保護部材の外側に流出するおそれは小さい。
【図面の簡単な説明】
【００１３】
【図１】本発明の一実施形態の全体構造を示す外観図である。
【図２】プロセッサの一部を破断して示す側面図である。
【図３】ランプの中央縦断側面図である。
【図４】図３のIV−IV矢線に沿う断面図である。
【図５】保護部材を切断した上で展開した場合の内周面側の図である。
【図６】保護部材を切断した上で展開した場合の正面図である。
【図７】図２のVII−VII矢線に沿うハウジング及びランプを省略した拡大断面図である。
【図８】本発明の変形例の図３と同様の断面図である。
【図９】同じく図４と同様の断面図である。
【図１０】本発明の別の変形例の図３と同様の断面図である。
【発明を実施するための形態】
【００１４】
以下、本発明の一実施形態について図１〜図７を参照しながら説明する。
図１に示す電子内視鏡（内視鏡）１０は、操作部１１と可撓性を有する挿入部１２を有し、挿入部１２の先端部には、操作部１１に設けた湾曲操作装置１３の操作に応じて上下及び左右方向に湾曲する湾曲部１２ａが設けてある。湾曲部１２ａの先端面には、図示しない観察窓（対物窓）と照明光学系が設けてある。
操作部１１からはユニバーサルチューブ１４が挿入部１２と反対側に延びており、このユニバーサルチューブ１４の先端に設けたコネクタ部１４ａには、ライトキャリングバンドルスリーブ１４ｂが突設してある。さらに、ライトキャリングバンドルスリーブ１４ｂ、コネクタ部１４ａ、ユニバーサルチューブ１４、操作部１１及び挿入部１２の内部には導光ファイバ１５が配設してあり、導光ファイバ１５の先端に形成した出射端面が、挿入部１２の先端部内において上記照明光学系に接続している。
【００１５】
内視鏡用光源装置２０は図１及び図２に示すように、金属製の筐体２１を具備しており、筐体２１の前面２１ａにはコネクタ部１４ａのライトキャリングバンドルスリーブ１４ｂを差し込むための差込口２２が設けてある。筐体２１の底板２１ｂの上面には、差込口２２の直後に位置する起立部材２３が設けてあり、起立部材２３の差込口２２と対向する位置には支持用孔２３ａが穿設してある。
さらに、筐体２１の底板２１ｂの上面にはハウジング２５が固定してある。ハウジング２５には、ハウジング２５を左右方向（図１、図２において紙面に対して直交する方向）に貫通する収容部２６が形成してある。またハウジング２５の前壁２５ａには円形の採光孔２５ｂが貫通孔として穿設してある（図２参照）。
【００１６】
収容部２６には、前後一対のヒートシンク２７、２８が前後方向に間隔を開けて設けてある。ヒートシンク２７とヒートシンク２８は、共に金属等の熱伝導性及び導電性が良好な材料から成形したものである。ヒートシンク２７は左右に並ぶ第１ブロック２７ａ（陰極側導電部材。図７は図２のVII−VII矢線に沿う断面図であるが、ヒートシンク２７とヒートシンク２８の形状は同じなので、図７にヒートシンク２７の各部の符号を括弧付きで示している）と第２ブロック２７ｂを具備しており、ヒートシンク２８は左右に並ぶ第１ブロック２８ａ（陽極側導電部材）と第２ブロック２８ｂを具備している。第１ブロック２７ａ、２８ａはハウジング２５に対して固定してあり、第１ブロック２７ａ、２８ａの上部には左右方向に延びる雌ねじ孔２７ａ１、２８ａ１が形成してある。第２ブロック２７ｂ、２８ｂはハウジング２５（収容部２６）の底面上を左右方向にスライド自在であり、第２ブロック２７ｂ、２８ｂの上部には左右方向に延びる貫通孔２７ｂ１、２８ｂ１が形成してある。互いに同軸をなす第１ブロック２７ａの雌ねじ孔２７ａ１と第２ブロック２７ｂの貫通孔２７ｂ１、及び、第１ブロック２８ａの雌ねじ孔２８ａ１と第２ブロック２８ｂの貫通孔２８ｂ１には、それぞれ調整用ボルト２９が挿入してある。各調整用ボルト２９は、第１ブロック２７ａの雌ねじ孔２７ａ１と第１ブロック２８ａの雌ねじ孔２８ａ１に螺合する雄ねじ部２９ａと、端部に固定した雄ねじ部２９ａより大径の摘み部２９ｂとを具備している。第１ブロック２７ａと第２ブロック２７ｂの前部には水平な板状の放熱用フィン２７ｃが上下に並べて形成してあり、第１ブロック２８ａと第２ブロック２８ｂの後部には水平な板状の放熱用フィン２８ｃが上下に並べて形成してある。第１ブロック２７ａと第２ブロック２７ｂの対向部（ヒートシンク２７の左右方向の中央部）には第１ブロック２７ａと第２ブロック２７ｂの対向面が接触したときに全体として断面円形（前後方向に見たときに円形）をなす陰極用支持分割孔２７ｄ、２７ｅがそれぞれ貫通孔として形成してある。第１ブロック２８ａと第２ブロック２８ｂの対向部（ヒートシンク２８の左右方向の中央部）には第１ブロック２８ａと第２ブロック２８ｂの対向面が接触したときに全体として断面円形（前後方向に見たときに円形）をなす陽極用支持分割孔２８ｄ、２８ｅがそれぞれ貫通孔として形成してある。第１ブロック２７ａと第２ブロック２７ｂの対向面が接触し、かつ、第１ブロック２８ａと第２ブロック２８ｂの対向面が接触したとき、陰極用支持分割孔２７ｄ、２７ｅと陽極用支持分割孔２８ｄ、２８ｅは互いに同軸をなし、かつ採光孔２５ｂと同軸をなす。さらに第１ブロック２８ａは図示を省略した電源の陽極と接続しており、第１ブロック２７ａは該電源の陰極と接続している。
【００１７】
図２に示すように筐体２１の底板２１ｂの上面には、起立部材２３とハウジング２５の間に位置するレンズホルダ３０が固定してある。レンズホルダ３０にはレンズ支持用孔３０ａが貫通孔として形成してあり、レンズ支持用孔３０ａには２枚の集光レンズＬ１、Ｌ２が前後に並べて嵌合固定してある。両集光レンズＬ１、Ｌ２の光軸は、採光孔２５ｂ、支持用孔２３ａ、及び、差込口２２の各中心を結ぶ直線上に位置している。
【００１８】
ヒートシンク２７及びヒートシンク２８に対して着脱可能なランプ３５は図２〜図４に示す構造である。図２はランプ３５をヒートシンク２７及びヒートシンク２８に対して取り付けた状態を示しており、図３、図４は未使用状態（ヒートシンク２７及びヒートシンク２８に取り付ける前の状態）を示している。まずは図３、図４を用いて未使用状態のランプ３５について説明する。
略円筒形状をなす本体部３６はアルミナ等の絶縁材料によって構成したものである。本体部３６の前面には曲面（断面形状が放物線や楕円形をなす曲面）からなる反射面３７が形成（凹設）してあり、本体部３６の中心部には前後方向に延びる中央貫通孔３８が形成してある。本体部３６の後面には金属（導電性材料）からなる導電部材３９が固定してある。導電部材３９の中心部には中央貫通孔３８と同軸をなす陽極支持孔４０が貫通孔として形成してあり、陽極支持孔４０には陽極４１（発光部）の後部が嵌合固定してある。陽極４１はタングステン製の円柱部材であり、その前部は中央貫通孔３８を貫通して反射面３７側に突出している。さらに導電部材３９の前部の外周面には金属（導電性材料）からなるリング状（断面円形）の陽極側導通部材４２の内周面の後部が固定してあり、陽極側導通部材４２の内周面の前部は本体部３６の外周面の後端部に固定してある。本体部３６の前端面にはセラミックリング４４が固定してあり、セラミックリング４４の前面には銅製リング（図示略）を介してコバール（導電性材料）からなる給電リング４５が固定してある。給電リング４５の内周面には、耐熱性及び導電性を有する素材（例えばモリブデン）からなる陰極支持部材４６の一端部（基端部）が固定してある。陰極支持部材４６の他端部（先端部）には前後方向に延びる円柱形状の陰極４７（発光部）の前端近傍部が固定してある。陰極４７はタングステン製であり、陽極４１と同軸をなしている。給電リング４５の外周面には金属（導電性材料）からなり、かつ陽極側導通部材４２と略同径のリング状（断面円形）をなす陰極側導通部材４８の内周面の前部が固定してあり、陰極側導通部材４８の内周面の後部は本体部３６の外周面の前端部に固定してある。さらに給電リング４５の内側には環状のホルダを介して透光性材料（例えばガラス）からなる円形のカバーガラス４９が固定してある。
陽極側導通部材４２及び陰極側導通部材４８の外周面全体には伝熱剤５０が塗布してある。伝熱剤５０は高い伝熱性を有する半流動性材料、例えばグリース（例えば、「Walkefield社製  サーマルコンパウンド  P/N120」や「サンハヤト株式会社製  放熱用シリコーン  HG  SCH-G35」等を利用可能）からなるものである。伝熱剤５０は外力を与えないとき一定の形状を維持する一方で、ある程度の大きさの外力を与えると変形（流動）するものである。
【００１９】
さらに未使用状態のランプ３５の陽極側導通部材４２（伝熱剤５０）の表面と陰極側導通部材４８（伝熱剤５０）の表面には、樹脂等の可撓性材料（例えば、ポリプロピレンや硬めのシリコンなど）によって一体成形した保護部材５１がそれぞれ被せてある。保護部材５１は、陽極側導通部材４２及び陰極側導通部材４８より僅かに大径かつ薄肉（例えば０．５ｍｍ程度）の環状体である接触部被覆部５２と、接触部被覆部５２の内周面に突設した複数の接触突条５３（接触突部）（突条）と、を一体的に具備している。接触突条５３は、接触部被覆部５２の周方向に一定間隔で並べて設けてある。各接触突条５３は前後方向（接触部被覆部５２の幅方向。保護部材５１の中心軸（軸線）方向）に延びる三角柱形状であり、その両端は接触部被覆部５２の前後両縁部にまで達している。
保護部材５１を陽極側導通部材４２（伝熱剤５０）の表面と陰極側導通部材４８（伝熱剤５０）の表面に装着すると、図４に示すように各接触突条５３の先端部が陰極側導通部材４８（陽極側導通部材４２）の外周面に接触するので、伝熱剤５０には各接触突条５３に対応する形状及び数の前後方向に延びる溝が形成される。
【００２０】
未使用のランプ３５をヒートシンク２７及びヒートシンク２８に対して取り付けるには、まず摘み部２９ｂを回転させて調整用ボルト２９を左側に移動させて、第２ブロック２７ｂ、２８ｂを第１ブロック２７ａ、２８ａに対して各調整用ボルト２９に沿ってスライド可能な状態にしておく。
そして未使用のランプ３５から前後の保護部材５１を取り外す。前側の保護部材５１は陰極側導通部材４８に対して前方にスライドさせることにより陰極側導通部材４８から取り外す。このようにすれば、前側の保護部材５１の各接触突条５３が伝熱剤５０に形成された上記各溝（前後方向に延びる三角柱形状の溝）に沿って円滑にスライドするので、前側の保護部材５１を陰極側導通部材４８から簡単に取り外すことができる。同様に後側の保護部材５１は陽極側導通部材４２に対して後方にスライドさせることにより、陽極側導通部材４２から取り外す。
次いで前後の保護部材５１を取り外したランプ３５を、採光孔２５ｂを通して後方に移動させる。そして陰極側導通部材４８を陰極用支持分割孔２７ｄと陰極用支持分割孔２７ｅによって形成された空間内に位置させ、陽極側導通部材４２を陽極用支持分割孔２８ｄと陽極用支持分割孔２８ｅによって形成された空間内に位置させる。このとき陰極用支持分割孔２７ｄと陰極用支持分割孔２７ｅは陰極側導通部材４８（伝熱剤５０）から（陰極側導通部材４８の外周方向に）離間しており、陽極用支持分割孔２８ｄと陽極用支持分割孔２８ｅは陽極側導通部材４２（伝熱剤５０）から（陽極側導通部材４２の外周方向に）離間しているが、摘み部２９ｂを上記の回転方向とは逆方向に回転させることにより調整用ボルト２９を右側にスライドさせると、前後の調整用ボルト２９の摘み部２９ｂによって押圧された第２ブロック２７ｂ、２８ｂが第１ブロック２７ａ、２８ａ側にスライドする。すると所定の位置までスライドしたときに、陰極用支持分割孔２７ｄと陰極用支持分割孔２７ｅが陰極側導通部材４８に接触し、陽極用支持分割孔２８ｄと陽極用支持分割孔２８ｅが陽極側導通部材４２に接触するので、摘み部２９ｂ（調整用ボルト２９）をその位置で固定する（調整用ボルト２９の回転操作を停止する）。陰極側導通部材４８の外周面の断面形状は完全な真円ではなく、陰極用支持分割孔２７ｄと陰極用支持分割孔２７ｅによって構成される孔の断面形状も完全な真円ではないので、このとき陰極側導通部材４８の外周面の一部のみが陰極用支持分割孔２７ｄと陰極用支持分割孔２７ｅに接触する。一方、陰極側導通部材４８の外周面の残りの部分は陰極用支持分割孔２７ｄと陰極用支持分割孔２７ｅから離間し、当該部分に位置する伝熱剤５０が陰極用支持分割孔２７ｄ及び陰極用支持分割孔２７ｅの内周面に接触する。同様に、陽極側導通部材４２の外周面の断面形状は完全な真円ではなく、陽極用支持分割孔２８ｄと陽極用支持分割孔２８ｅによって構成される孔の断面形状も完全な真円ではないので、陽極側導通部材４２の外周面の一部のみが陽極用支持分割孔２８ｄと陽極用支持分割孔２８ｅに接触する。一方、陽極側導通部材４２の外周面の残りの部分は陽極用支持分割孔２８ｄと陽極用支持分割孔２８ｅから離間し、当該部分に位置する伝熱剤５０が陽極用支持分割孔２８ｄ及び陽極用支持分割孔２８ｅの内周面に接触する。
【００２１】
次に、以上構成の内視鏡システムの動作について説明する。
筐体２１の外面に設けたスイッチＳＷ（図２参照）がＯＦＦの状態で、内視鏡用光源装置２０の差込口２２と支持用孔２３ａにライトキャリングバンドルスリーブ１４ｂを差し込むと、ライトキャリングバンドルスリーブ１４ｂの内部に配設した導光ファイバ１５の入射端面１５ａが、集光レンズＬ１、Ｌ２及び採光孔２５ｂを通してランプ３５（カバーガラス４９）と前後方向に対向する。この状態でスイッチＳＷをＯＮにすると、上記電源で生じた電力が第１ブロック２７ａと第１ブロック２８ａの間で流れる。即ち、上記電源の陽極から第１ブロック２８ａに電流が流れ、この電流は陽極用支持分割孔２８ｄ、陽極側導通部材４２、導電部材３９、陽極４１、陰極４７、陰極支持部材４６、給電リング４５、陰極側導通部材４８、陰極用支持分割孔２７ｄ（第１ブロック２７ａ）を通って電源の陰極に流れる。そしてこの際に陽極４１の前端部と陰極４７の後端部の間に図示を省略した光（アーク）が発生し、この光が反射面３７によって反射される。反射された光は、陽極４１及び陰極４７と平行な平行光としてカバーガラス４９を通ってランプ３５の前方に照射され、採光孔２５ｂ、集光レンズＬ１、集光レンズＬ２を通って差込口２２側に向かう。導光ファイバ１５に供給された光は導光ファイバ１５の出射端面から上記照明光学系に供給され、照明光学系を通して挿入部１２の先端部の外側に出射される。
電子内視鏡１０による内視鏡術を行っている間（挿入部１２を体腔等に挿入している間）はスイッチＳＷのＯＮ状態を維持して、照明光学系から光を出射させておく。電子内視鏡１０による内視鏡術が終了したら（挿入部１２を体腔内等から完全に引き抜いたら）スイッチＳＷをＯＦＦ状態に戻す。すると上記電源からランプ３５への電力の供給が遮断されるので、ランプ３５は消灯する。
【００２２】
このように本実施形態によれば、未使用状態のランプ３５をヒートシンク２７、２８に取り付けるときに、ユーザーがランプ３５をヒートシンク２７、２８に取り付ける前に行う作業は、保護部材５１を陽極側導通部材４２と陰極側導通部材４８から取り外す作業のみであり、伝熱剤を陽極側導通部材４２と陰極側導通部材４８に塗布する必要がない。そのため、例えば古い（壊れた）ランプ３５を新しいランプ３５と交換するときに、陽極側導通部材４２と陰極側導通部材４８に伝熱剤が塗布されていないランプ３５をヒートシンク２７とヒートシンク２８に取り付けてしまうことがない。そのため交換した新しいランプ３５が許容温度以上に高温化して、当該ランプ３５の寿命が短くなるおそれがない。
さらに保護部材５１を伝熱剤５０の表面に被せると、複数の接触突条５３が陽極側導通部材４２と陰極側導通部材４８に接触するため、接触部被覆部５２は陽極側導通部材４２と陰極側導通部材４８から離間した状態に保持される。そのため仮に接触部被覆部５２の表面に（それ程大きくない）外力が掛かっても、陽極側導通部材４２及び陰極側導通部材４８と接触部被覆部５２との間で伝熱剤５０が押しつぶされることはない。そのため未使用状態のランプ３５から伝熱剤５０が保護部材５１の外側に流出するおそれは小さい。
【００２３】
以上、上記実施形態に基づいて本発明を説明したが、本発明は様々な変更を施しながら実施可能である。
図８及び図９に示す変形例の保護部材５５、５６は保護部材５１と同じ材質の一体成形品であり、接触部被覆部５２より前後長が長い接触部被覆部５７の内周面に接触部被覆部５７より前後長が短い複数の接触突条５３を一体的に突設し、かつ接触部被覆部５７の一方の端面を正面視円形の端部閉塞部５８で塞いでいる。保護部材５５、５６をランプ３５の前後両端部に被せると、各保護部材５５、５６の接触突条５３が陽極側導通部材４２と陰極側導通部材４８の外周面に接触する。さらに各端部閉塞部５８がランプ３５の前端面（カバーガラス４９）と後端面をそれぞれ覆うので、未使用状態のランプ３５の前後両端面を端部閉塞部５８によって保護できる。
【００２４】
図１０は別の変形例である。この保護部材５９は保護部材５１と同じ材質の一体成形品であり、帯状の接触部被覆部６０（前後幅は保護部材５１と同じ）と、保護部材５９の内面に突設した複数の接触突条５３と、を具備している。保護部材５９は、接触部被覆部６０の端面６１、６２どうしを互いに接触させることにより、接触部被覆部６０を環状形状にしながら陽極側導通部材４２と陰極側導通部材４８に被せてある。また各接触突条５３を陽極側導通部材４２と陰極側導通部材４８の外周面に接触させてある。接触部被覆部６０を陽極側導通部材４２と陰極側導通部材４８に被せると、伝熱剤５０の粘性（粘着性）によって接触部被覆部６０は環状状態に保持される。
このランプ３５を使用するときは、端面６１、６２どうしを離間させながら接触部被覆部６０を展開して保護部材５９を陽極側導通部材４２、陰極側導通部材４８から取り外すか、接触部被覆部６０の環状状態を保持したまま保護部材５９を陽極側導通部材４２、陰極側導通部材４８に対して前後方向にスライドさせて陽極側導通部材４２、陰極側導通部材４８から取り外す。
この変形例の保護部材５９は、ランプ３５から取り外して展開することにより直線状態にすることができるので、複数の保護部材５９を重ねて保管するときに、保護部材５１、５５、５６に比べて保管用のスペースを小さくできるメリットがある。
なお接触部被覆部６０を陽極側導通部材４２と陰極側導通部材４８に被せた後に、テープ等の固定手段によって保護部材５９の端面６１、６２を互いに固定してもよい。
【００２５】
また接触部被覆部５２、５７を完全な環状形状とせずに、一部を切り欠いた環状形状（例えば、保護部材５１、５５、５６の中心軸を中心とする中心角が３４０°以上で３６０°未満の円弧形状）としてもよい。同様に保護部材５９を、陽極側導通部材４２と陰極側導通部材４８に装着したときに端面６１、６２どうしが僅かに離間する環状形状（例えば、陽極側導通部材４２と陰極側導通部材４８に装着したときに保護部材５９の中心軸を中心とする中心角が３４０°以上で３６０°未満の円弧形状）としてもよい。
さらに保護部材５９（接触部被覆部６０）を長くすることにより、陽極側導通部材４２と陰極側導通部材４８に装着したときに接触部被覆部６０の両端部どうしが互いに重なるようにしてもよい。
また、保護部材５１の接触部被覆部５２を伸縮性（弾性）を有する材料により形成し、かつ接触部被覆部５２が自由状態にあるときの内径を陽極側導通部材４２及び陰極側導通部材４８より僅かに小さくしてもよい。このように構成した保護部材５１は、接触部被覆部５２を拡径方向に僅かに弾性変形させた状態で陽極側導通部材４２と陰極側導通部材４８に装着でき、陽極側導通部材４２と陰極側導通部材４８に装着すると接触部被覆部５２が自由状態に戻ろうとする弾性力を発生するので、この弾性力によって各接触突条５３が陽極側導通部材４２と陰極側導通部材４８に確実に接触する。
またランプ３５を内視鏡用光源装置２０とは用途及び構成が異なる光源用ランプ（例えば、内視鏡とは異なる医療機器用の光源用ランプ、プロジェクター用の光源用ランプなど）として利用することも可能である。
【符号の説明】
【００２６】
１０    電子内視鏡（内視鏡）
１１    操作部
１２    挿入部
１２ａ  湾曲部
１３    湾曲操作装置
１４    ユニバーサルチューブ
１４ａ  コネクタ部
１４ｂ  ライトキャリングバンドルスリーブ
１５    導光ファイバ
１５ａ  入射端面
２０    内視鏡用光源装置
２１    筐体
２２    差込口
２３    起立部材
２３ａ  支持用孔
２５    ハウジング
２５ａ  前壁
２５ｂ  採光孔
２６    収容部
２７    ヒートシンク
２７ａ  第１ブロック（陰極側導電部材）
２７ａ１  雌ねじ孔
２７ｂ  第２ブロック
２７ｂ１  貫通孔
２７ｃ  放熱用フィン
２７ｄ  ２７ｅ  陰極用支持分割孔
２８    ヒートシンク
２８ａ  第１ブロック（陽極側導電部材）
２８ａ１  雌ねじ孔
２８ｂ  第２ブロック
２８ｂ１  貫通孔
２８ｃ  放熱用フィン
２８ｄ  ２８ｅ  陽極用支持分割孔
２９    調整用ボルト
２９ａ  雄ねじ部
２９ｂ  摘み部
３０    レンズホルダ
３０ａ  レンズ支持用孔
３５    ランプ
３６    本体部
３７    反射面
３８    中央貫通孔
３９    導電部材
４０    陽極支持孔
４１    陽極（発光部）
４２    陽極側導通部材
４４    セラミックリング
４５    給電リング
４６    陰極支持部材
４７    陰極（発光部）
４８    陰極側導通部材
４９    カバーガラス
５０    伝熱剤
５１    保護部材
５２    接触部被覆部
５３    接触突条（接触突部）（突条）
５５  ５６  保護部材
５７    接触部被覆部
５８    端部閉塞部
５９    保護部材
６０    接触部被覆部
６１  ６２  端面
【図１】
2013058345.tif 000003
【図２】
2013058345.tif 000004
【図３】
2013058345.tif 000005
【図４】
2013058345.tif 000006
【図５】
2013058345.tif 000007
【図６】
2013058345.tif 000008
【図７】
2013058345.tif 000009
【図８】
2013058345.tif 000010
【図９】
2013058345.tif 000011
【図１０】
2013058345.tif 000012